(57)【要約】【課題】対物レンズの傾き調整を行い易い光ピックアップ用レンズホルダを提供する。【解決手段】光ピックアップ用レンズホルダ２２には、第１対物レンズ８と第２対物レンズ１５との２つの対物レンズが搭載される。光ピックアップ用レンズホルダ２２は、第１対物レンズ８を保持する保持部２３ａを有する第１のホルダ２３と、第１のホルダ２３に搭載され、第２対物レンズ１５を保持する保持部２４ａを有し、第２対物レンズ１５の傾きを調整するために使用される第２のホルダ２４と、を備える。第１のホルダ２３には、治具を貫通させる貫通孔４２ａ、４２ｂが形成され、第２のホルダ２４には、貫通孔４２ａ、４２ｂを貫通した治具と係合する係合孔４１ａ、４１ｂが設けられる。【選択図】図５
2009076179.tif 000002
【特許請求の範囲】
【請求項１】
光ビームを光記録媒体の記録面に集光するための対物レンズを少なくとも１つ搭載する光ピックアップ用レンズホルダであって、
第１のホルダと、
前記第１のホルダに搭載され、前記対物レンズを１つ保持する保持部を有し、保持した対物レンズの傾きを調整するために使用される第２のホルダと、を備え、
前記第１のホルダには、治具を貫通させる貫通孔が形成され、
前記第２のホルダには、前記貫通孔を貫通した治具と係合する係合部が設けられることを特徴とする光ピックアップ用レンズホルダ。
【請求項２】
前記係合部は、棒状の治具と係合する係合孔であることを特徴とする請求項１に記載の光ピックアップ用レンズホルダ。
【請求項３】
前記第１のホルダには、前記第２のホルダを接着固定するための固定部が設けられ、
前記第２のホルダは、前記第２のホルダが有する前記保持部に対して略対称な位置で前記固定部に挟まれるように接着固定されることを特徴とする請求項１又は２に記載の光ピックアップ用レンズホルダ。
【請求項４】
前記第２のホルダは、４つの位置で前記固定部に接着固定されることを特徴とする請求項３に記載の光ピックアップ用レンズホルダ。
【請求項５】
前記第１のホルダには、前記対物レンズを保持する保持部が１つ形成され、
前記第１のホルダに搭載される第２のホルダの数は１つであることを特徴とする請求項１から４に記載の光ピックアップ用レンズホルダ。
【請求項６】
請求項１から５のいずれかに記載の光ピックアップ用レンズホルダを備えることを特徴とする光ピックアップ。
【発明の詳細な説明】
【技術分野】
【０００１】
本発明は、光ピックアップ用レンズホルダ及びそれを備えた光ピックアップに関し、特に、レンズホルダに搭載される対物レンズの傾き調整を行い易くする構成に関する。
【背景技術】
【０００２】
コンパクトディスク（以下、ＣＤという。）やデジタル多用途ディスク（以下、ＤＶＤという。）といった光ディスク（光記録媒体）が普及している。更に、最近では、光ディスクの情報量を更に増やすために光ディスクの高密度化に関する研究が進められ、例えば、高品位のＤＶＤであるＨＤ−ＤＶＤやブルーレイディスク（以下、ＢＤという。）といった高密度化された光ディスクも実用化されている。
【０００３】
光ディスクへの情報の書き込みや光ディスクに記録されている情報の読み出しを行うにあたっては、光ピックアップが用いられる。光ピックアップにおいては、光ディスクの種類が異なると、対物レンズの開口数（ＮＡ）や光源の波長を異なったものとする必要が生じる場合がある。例えば、ＣＤに対しては、対物レンズのＮＡが０．４５、光源の波長が７８０ｎｍ、ＤＶＤに対しては、対物レンズのＮＡが０．６５、光源の波長が６５０ｎｍ、ＢＤに対しては、対物レンズのＮＡが０．８５、光源の波長が４０５ｎｍ、が用いられる。
【０００４】
このように光ディスクの種類によって、対物レンズのＮＡや光源の波長を異なったものとする必要が生じる場合があるために、光ディスクの種類に応じて異なる光ピックアップを用いることも考えられる。しかし、光ディスクの種類に応じて異なる光ピックアップを使用する構成とするとコスト面等で不利が生じる。このために、従来、１つの光ピックアップで複数種類の光ディスクに対応する光ピックアップが開発されている。
【０００５】
複数種類の光ディスクに対応する光ピックアップにおいては、対物レンズを複数備え、情報の読み取りや書き込みの対象とされる光ディスクの種類によって対物レンズを使い分ける構成のものがある（例えば、特許文献１から３参照。）。
【０００６】
光ピックアップに複数の対物レンズが備えられる場合、それぞれの対物レンズの光軸が光ディスクに対して垂直となる必要がある。このために、特許文献３にも示されるが、従来においては、レンズホルダ（光ピックアップ用レンズホルダ）を第１のホルダと、第２のホルダとで構成し、複数の対物レンズのうち、１個の対物レンズを除く対物レンズが、傾き調整用の第２のホルダを介して第１のホルダに搭載されるように構成する。そして、第２のホルダに搭載されない１つの対物レンズは直接第１のホルダに搭載する構成とする。
【０００７】
なお、図８に、２つの対物レンズが搭載される従来の光ピックアップ用レンズホルダ１００の構成例を示す。図８は断面図であり、２つの対物レンズ１０３ａ、１０３ｂが搭載された状態を示している。また、１０１が第１のホルダ、１０２が第２のホルダである。
【０００８】
このような構成とすると、例えば次のように調整することで、光ピックアップ用レンズホルダ１００に搭載されるそれぞれの対物レンズの光軸が光ディスクに対して垂直となる構成とできる。まず、第２のホルダ１０２に搭載されない１つの対物レンズ１０３ａを第１のホルダ１０１に固着する。次に、この第１のホルダ１０１に搭載された対物レンズ１０３ａの上方に調整機を配置し、例えば、収差が最適となるように第１のホルダ１０１の傾きを調整する（例えば、第１のホルダ１０１を載せている台を調整する）。
【０００９】
次に、対物レンズ１０３ｂが固着された第２のホルダ１０２を第１のホルダ１０１に搭載する。そして、第２のホルダ１０２に固着された対物レンズ１０３ｂの上に調整機を配置し、収差が最適となるように第２のホルダ１０２の傾きを調整する。ここでは、対物レンズの数が２つの場合を示したが、対物レンズが３つ以上ある場合には、第２のホルダ１０２が複数となるために、そのそれぞれについて、上述の操作を繰り返す。なお、第２のホルダ１０２は、傾き調整後に接着剤等で第１のホルダ１０１に固着される。
【００１０】
このようにすれば、レンズホルダ１００に搭載される全ての対物レンズ１０３ａ、１０３ｂの光軸は、互いに平行になる。このために、いずれか１つの対物レンズについて、その光軸が光ディスクに対して垂直となるように傾角調整して、レンズホルダ１００を光ピックアップに取り付ければ、それぞれの対物レンズの光軸が光ディスクに対して垂直となる。
【特許文献１】特開２００５−２９３７４６号公報
【特許文献２】特開２０００−４８３７３号公報
【特許文献３】特開平１０−１１７６５号公報
【発明の開示】
【発明が解決しようとする課題】
【００１１】
しかしながら、上述の方法には、次のような問題点がある。すなわち、調整機（その先端に対物レンズを有する）を対物レンズの上方に配置して、第２のホルダ１０２の傾きを調整する場合に、第２のホルダ１０２を治具でチャッキングし、治具を動かすことによって第２のホルダ１０２の傾きを調整する必要がある。そして、従来の構成においては、第２のホルダ１０２を治具でチャッキングする場合のチャッキング位置は、光ピックアップ用レンズホルダ１００の上部側としなければならない。
【００１２】
この場合、調整機と対物レンズ１０３ｂとの隙間は非常に狭い（例えば、１ｍｍ程度）ために、治具によって第２のホルダ１０２を十分にチャッキングできない場合がある等、調整作業が困難な場合があった。また、作業スペースが狭く、第２のホルダ１０２は部品サイズが非常に小さいために、調整時に用いる治具も小さくする必要があり、調整工程に非常に時間がかかるといった問題もあった。
【００１３】
以上の問題点に鑑み、本発明の目的は、対物レンズの傾き調整を行い易い光ピックアップ用レンズホルダを提供することである。また、本発明の他の目的は、そのような光ピックアップ用レンズホルダを備えることにより、組み立て時に作業負担が少ない光ピックアップを提供することである。
【課題を解決するための手段】
【００１４】
上記目的を達成するために本発明は、光ビームを光記録媒体の記録面に集光するための対物レンズを少なくとも１つ搭載する光ピックアップ用レンズホルダであって、第１のホルダと、前記第１のホルダに搭載され、前記対物レンズを１つ保持する保持部を有し、保持した対物レンズの傾きを調整するために使用される第２のホルダと、を備え、前記第１のホルダには、治具を貫通させる貫通孔が形成され、前記第２のホルダには、前記貫通孔を貫通した治具と係合する係合部が設けられることを特徴としている。
【００１５】
これによれば、第１のホルダに治具を貫通させる貫通孔が形成され、第２のホルダには第１のホルダの貫通孔を貫通した治具と係合する係合部が設けられている。このため、第２のホルダに保持される対物レンズの傾きを調整する際に、調整機が配置される上方（レンズホルダより上側）とは反対の下方（レンズホルダより下側）に治具を設置して、傾き調整を行うことが可能となる。レンズホルダの下方に調整治具を設置する場合、その位置には調整機がないために作業スペースを広く確保でき、調整治具の大型化を図れる。従って、対物レンズの傾きを調整する調整作業が行い易く、調整工程に要する時間の短縮も可能である。
【００１６】
また、本発明は、上記構成の光ピックアップ用レンズホルダにおいて、前記係合部は、棒状の治具と係合する係合孔であるのが好ましい。これによれば、棒状の治具を係合孔に挿し込むことによって簡単に第２のホルダをチャッキングすることが可能となる。このために、対物レンズの傾きを調整する作業が行い易い。
【００１７】
また、本発明は、上記構成の光ピックアップ用レンズホルダにおいて、前記第１のホルダには、前記第２のホルダを接着固定するための固定部が設けられ、前記第２のホルダは、前記第２のホルダが有する前記保持部に対して略対称な位置で前記固定部に挟まれるように接着固定されることとしても良い。
【００１８】
これによれば、第２のホルダが固定部によってバランス良く接着固定されるので、接着位置において、例えば接着剤硬化時の収縮や異常環境下における膨張等が発生した場合でも、第２のホルダは変動しにくい。従って、第２のホルダに搭載される対物レンズが傾き調整後にずれを起こす可能性を低くできる。
【００１９】
また、本発明は、上記構成の光ピックアップ用レンズホルダにおいて、前記第２のホルダは、４つの位置で前記固定部に接着固定されるのが好ましい。これによれば、接着固定する位置を増やしすぎることなく、バランス良く接着することが可能である。
【００２０】
また、本発明は、上記構成の光ピックアップ用レンズホルダにおいて、前記第１のホルダには、前記対物レンズを保持する保持部が１つ形成され、前記第１のホルダに搭載される第２のホルダの数は１つであることとしても良い。これによれば、レンズホルダには２つの対物レンズが搭載されることになるが、第２のホルダに搭載される対物レンズの傾きを調整して、レンズホルダに搭載される２つの対物レンズの光軸を平行とする作業を容易に行える。
【００２１】
また、上記目的を達成するために本発明は、上記構成の光ピックアップ用レンズホルダを備える光ピックアップとしても良い。これによれば、光ピックアップ用レンズホルダに搭載される対物レンズの傾き調整が行い易いために、光ピックアップの組み立て時の作業負担を軽減できる。
【発明の効果】
【００２２】
本発明によれば、対物レンズの傾き調整を行い易い光ピックアップ用レンズホルダを提供可能である。また、そのような光ピックアップ用レンズホルダを光ピックアップに備えることにより、組み立て時の作業負担を軽減できる光ピックアップを提供できる。
【発明を実施するための最良の形態】
【００２３】
以下、本発明の光ピックアップ用レンズホルダ及び光ピックアップの実施形態について、図面を参照しながら説明する。
【００２４】
まず、本実施形態の光ピックアップの構成について説明する。図１は、本実施形態の光ピックアップの構成を示す概略平面図である。また、図２は、本実施形態の光ピックアップの光学系の構成を示す概略図である。
【００２５】
光ピックアップ１は、光ディスク（光記録媒体）５０に対してレーザ光を照射して、情報の読み取り及び書き込みを可能とする装置である。この光ピックアップ１は、光ディスク５０の半径方向と平行な方向（ラジアル方向）に延び、所定の間隔で並設される２本のガイドレール１８に摺動可能に支持される。光ピックアップ１のラジアル方向への移動には、例えばモータ、ラック、ピニオン（いずれも図示せず）を組合せて成る駆動機構が利用される。
【００２６】
図２に示すように、光ピックアップ１は２系統の光学系を備え、一方はＢＤ用の光学系で、他方はＤＶＤ及びＣＤ（ＤＶＤ／ＣＤ）用の光学系である。この２系統の光学系は、光ピックアップ１によって情報の読み取りや書き込みが行われる光ディスク５０の種類（ここでは、ＢＤ、ＤＶＤ、及びＣＤのうちのいずれか）によって切り換えて使用される。以下、ＢＤ用の光学系、ＤＶＤ／ＣＤ用の光学系について、別々に説明する。
【００２７】
ＢＤ用の光学系は、第１レーザダイオード２と、回折素子３と、偏光ビームスプリッタ４と、第１コリメートレンズ５と、１／４波長板６と、第１立ち上げミラー７と、第１対物レンズ８と、第１シリンドリカルレンズ９と、第１フォトディテクタ１０と、を備える。
【００２８】
第１レーザダイオード２は、波長４０５ｎｍ帯のレーザ光を出射する光源である。第１レーザダイオード２から出射されたレーザ光は、回折素子３によって主ビームと２つの副ビームとに分けられる。回折素子３から出射したレーザ光は、偏光ビームスプリッタ４で反射され、第１コリメートレンズ５に送られる。
【００２９】
第１コリメートレンズ５は、図示しない駆動手段によって光軸方向（図２に示す矢印の方向）に移動可能となっており、その位置によって、第１対物レンズ８に入射するレーザ光の収束発散状態を変化させる。このような構成とするのは、球面収差の補正を行えるようにするためである。
【００３０】
第１コリメートレンズ５を出射したレーザ光は、偏光ビームスプリッタ４と協働して光アイソレータとして機能する１／４波長板６を通過し、第１立ち上げミラー７によって反射されて第１対物レンズ８に入射する。第１対物レンズ８は、入射したレーザ光を光ディスク５０の記録面５０ａに集光する。
【００３１】
光ディスク５０で反射されたレーザ光は、第１対物レンズ８を透過後、第１立ち上げミラー７で反射され、１／４波長板６、第１コリメートレンズ５の順に透過後、更に偏光ビームスプリッタ４も透過する。偏光ビームスプリッタ４を透過したレーザ光は、非点収差を付与する機能を有する第１シリンドリカルレンズ９を透過して、第１フォトディテクタ１０の受光面に集光する。第１フォトディテクタ１０は、入射した光信号を電気信号に変換して出力する。ここで出力された電気信号は処理されて、再生信号や、フォーカスエラー信号や、トラッキングエラー信号等となる。
【００３２】
次に、ＤＶＤ／ＣＤ用の光学系について説明する。ＤＶＤ／ＣＤ用の光学系は、第２レーザダイオード１１と、ハーフミラー１２と、第２コリメートレンズ１３と、第２立ち上げミラー１４と、第２対物レンズ１５と、第２シリンドリカルレンズ１６と、第２フォトディテクタ１７と、を備える。
【００３３】
第２レーザダイオード１１は、波長６５０ｎｍ帯のレーザ光と、波長７８０ｎｍ帯のレーザ光と、を切り換えて出射できる２波長レーザである。第２レーザダイオード１１から出射されたレーザ光は、ハーフミラー１２で反射されて第２コリメートレンズ１３に送られ、平行光に変換される。
【００３４】
第２コリメートレンズ１３から出射されたレーザ光（平行光）は、第２立ち上げミラー１４で反射され、第２対物レンズ１５に入射し、光ディスク５０の記録面５０ａに集光する。
【００３５】
光ディスク５０で反射されたレーザ光は、第２対物レンズ１５を透過後、第２立ち上げミラー１４で反射され、第２コリメートレンズ１３、ハーフミラー１２の順に透過し、非点収差を付与する機能を有する第２シリンドリカルレンズ１６を透過して、第２フォトディテクタ１７の受光面に集光する。第２フォトディテクタ１７は、入射した光信号を電気信号に変換して出力する。ここで出力された電気信号は処理されて、再生信号や、フォーカスエラー信号や、トラッキングエラー信号等となる。
【００３６】
なお、ここで示した光ピックアップ１の光学系の構成は、一例に過ぎず、本発明の目的を逸脱しない範囲で、当然、種々の変更が可能である。
【００３７】
第１対物レンズ８と第２対物レンズ１５とは、その詳細は後述する対物レンズアクチュエータ２０によって、フォーカス方向とトラッキング方向とに移動可能となっている。これにより、光ピックアップ１におけるフォーカス調整やトラッキング調整が可能となる。
【００３８】
なお、フォーカス方向とは、対物レンズ８、１５が光ディスク５０に対して接離する方向であり、トラッキング方向とは、光ディスク５０の半径方向と平行な方向である。また、フォーカス調整とは、第１対物レンズ８又は第２対物レンズ１５の焦点位置が常に光ディスク５０の記録面５０ａに合うように行う調整のことで、トラッキング調整とは、記録面５０ａに形成されるビームスポットの位置が常に光ディスク５０に形成されるトラックに追従するように行う調整のことである。
【００３９】
次に、本実施形態の光ピックアップ１が備える対物レンズアクチュエータ２０の構成の詳細について、図３及び図４を参照しながら説明する。ここで、図３は、本実施形態の光ピックアップが備える対物レンズアクチュエータの構成を示す概略平面図である。図４は、本実施形態の光ピックアップが備える対物レンズアクチュエータの構成を示す概略側面図である。
【００４０】
２１は、対物レンズアクチュエータ用のベース（以下、アクトベースと表現する）であり、強磁性を有する金属からなる。アクトベース２１には、そのほぼ中央にレーザ光を通過させる貫通孔（図示せず）が形成されている。そして、この貫通孔の上に、その詳細は後述するレンズホルダ（光ピックアップ用レンズホルダ）２２が配置される。また、アクトベース２１上には、レンズホルダ２２を挟むように所定間隔をあけて対向配置される一対の永久磁石２５ａ、２５ｂが立設されている。
【００４１】
永久磁石２５ａ、２５ｂは、同一の極（Ｎ極又はＳ極）が向かい合うように配置される（本実施形態ではＮ極が向かい合っている）。また、永久磁石２５ａ、２５ｂのそれぞれの外面には、アクトベース２１から折曲形成されたヨーク２１ｂ、２１ｃが磁着された状態となっている。
【００４２】
レンズホルダ２２は、略矩形状の第１のホルダ２３と、第１のホルダ２３に搭載される第２のホルダ２４と、から成る。第１のホルダ２３には、その上部側に対物レンズを１つ保持する保持部２３ａが形成されており、この保持部２３ａにはＢＤ用として使用される第１対物レンズ８が保持される。また、第１のホルダ２３には、第２のホルダ２４を搭載するための搭載部（図示せず）が設けられており、この搭載部に第２のホルダ２４が搭載される。
【００４３】
第２のホルダ２４にも、その上部側に対物レンズを１つ保持する保持部２４ａが形成されており、この保持部２４ａにはＤＶＤ／ＣＤ用として使用される第２対物レンズ１５が保持される。第１のホルダ２３に搭載された第２のホルダ２４は、後述の対物レンズの傾き調整の後、接着剤等を用いて第１のホルダ２３に固着される。
【００４４】
ここで、第２対物レンズ１５を第１のホルダ２３に直接搭載せずに、第２のホルダ２４を介して第１のホルダ２３に搭載する理由は、光ピックアップ１の組み立て時に、第１対物レンズ８の光軸と第２対物レンズ１５の光軸とを平行とする傾き調整を行い易くするためである。このために、第２のホルダ２４の下部側には曲面が設けられて、第２のホルダ２４は第１のホルダ２３に対して摺動し易くなっている。傾き調整の詳細については後述する。
【００４５】
なお、第１対物レンズ８の光軸と第２対物レンズ１５の光軸とを平行とするための傾き調整は、光ピックアップ１におけるコマ収差の発生を抑制するためのものである。
【００４６】
レンズホルダ２２に搭載される第１対物レンズ８と第２対物レンズ１５とは、タンジェンシャル方向に並設される。また、第１のホルダ２３及び第２のホルダ２４には、レーザダイオード２、１１から出射されたレーザ光が第１対物レンズ８及び第２対物レンズ１５に入射できるように、それぞれ図示しない貫通孔が形成されている。
【００４７】
第１のホルダ２３の４つ側壁の内側には、フォーカスコイル２６がその側壁に沿うように巻回されている（図３に示す図において、略矩形状のフォーカスコイル２６の一部が示されている）。このフォーカスコイル２６は、第１のホルダ２３に接着剤等で固着されている。なお、フォーカスコイル２６は、対物レンズ８、１５のフォーカス調整を行う際に使用される。
【００４８】
また、第１のホルダ２３の側壁のうち、永久磁石２５ａ、２５ｂと対向する両側壁の外側には、それぞれ、左右に一対ずつ並ぶようにトラッキングコイル２７ａ、２７ｂ、又はトラッキングコイル２７ｃ、２７ｄが設けられている。また、トラッキングコイル２７ａ及びトラッキングコイル２７ｃ、並びに、トラッキングコイル２７ｂ及びトラッキングコイル２７ｄは、それぞれ対称位置に配置されている。トラッキングコイル２７ａ〜２７ｄは、第１のホルダ２３に対して接着剤等で固着されている。なお、４つのトラッキングコイル２７ａ〜２７ｄは、全体として１本の線で繋がっている。
【００４９】
アクトベース２１上には、２つの永久磁石２５ａ、２５ｂのうち、永久磁石２５ｂに磁着されたヨーク２１ｃの外面側と接し、平面視略コの字状に形成されるゲルボックス２８が固定される。また、アクトベース２１上には、ゲルボックス２８の外面に隣接配置される回路基板２９が立設された状態となっている。
【００５０】
この回路基板２９には、左右両側において、それぞれ上下方向に２箇所ずつ、導電性を有するワイヤ（弾性支持部材）３０ａ、３０ｂ、３０ｃ、３０ｄの各一端がハンダ付けにて接続されている。ゲルボックス２８には４つの挿通孔２８ａ、２８ｂ、２８ｃ、２８ｄが形成されている。挿通孔２８ａ〜２８ｄのそれぞれには、ワイヤ３０ａ〜３０ｄが、ここの順で対応する形で、一本ずつ挿通されている。
【００５１】
なお、各挿通孔２８ａ〜２８ｄ内には、シリコンを主成分とするゲル材が充填されている。ここでゲル材は、低粘度のゲル材（ゾル）がゲルボックス２８の各挿通孔２８ａ〜２８ｄに注入された後、所定時間の紫外線照射によってゲル状に硬化したものである。このゲル材により、レンズホルダ２２の駆動に応じて各ワイヤ３０ａ〜３０ｄに生じた振動が減衰される。
【００５２】
ワイヤ３０ａ〜３０ｄの他端は、それぞれ、第１のホルダ２３の側壁に設けられるワイヤ固定部３１ａ〜３１ｄに、ハンダ付けにて固着されている。これにより、レンズホルダ２２は、ワイヤ３０ａ〜３０ｄによってアクトベース２１に対して揺動可能に支持された状態となっている。
【００５３】
また、ワイヤ固定部３１ａ〜３１ｄに固着された各ワイヤ３０ａ〜３０ｄのうち、ワイヤ３０ａ及びワイヤ３０ｃは、フォーカスコイル２６と電気的に接続された状態となっている。また、ワイヤ３０ｂ及びワイヤ３０ｄは、トラッキングコイル２７ａ〜２７ｄと電気的に接続された状態となっている。
【００５４】
このように構成される対物レンズアクチュエータ２０を用いてフォーカス調整を行う場合には、回路基板２９からワイヤ３０ａ、３０ｃを通じてフォーカスコイル２６に電流が供給される。そして、永久磁石２５ａ、２５ｂによって形成される磁界との電磁気的な作用により、レンズホルダ２２がフォーカス方向に変位される。フォーカスコイル２６に供給される電流の大きさ及び向きの調整により、レンズホルダ２２の変位が調整される。
【００５５】
また、対物レンズアクチュエータ２０を用いてトラッキング調整を行う場合には、回路基板２９からワイヤ３０ｂ、３０ｄを通じてトラッキングコイル２７ａ〜２７ｄに電流が供給される。そして、永久磁石２５ａ、２５ｂによって形成される磁界との電磁気的な作用により、レンズホルダ２２が、トラッキング方向に変位される。トラッキングコイル２７ａ〜２７ｄに供給される電流の大きさ及び向きの調整により、レンズホルダ２２の変位が調整される。
【００５６】
本実施形態の対物レンズアクチュエータ２０の構成の概要は以上のようであるが、対物レンズアクチュエータ２０が備えるレンズホルダ２２は、次のように構成されているために、第２のホルダ２４に搭載される第２対物レンズ１５の傾き調整が行い易くなっている。
【００５７】
図５は、本実施形態の対物レンズアクチュエータ２０に備えられるレンズホルダ２２（光ピックアップ用レンズホルダ）の構成を更に詳細に説明するための図で、図５（ａ）は、レンズホルダ２２の構成を示す概略斜視図、図５（ｂ）は、レンズホルダ２２が備える第２のホルダ２４の構成を示す概略斜視図である。
【００５８】
図５（ｂ）に示すように、第２のホルダ２４には、第２対物レンズ１５を保持する保持部２４ａから延出する（本実施形態では、トラッキング方向と略平行な方向に延出している）２つの延出部２４ｂ、２４ｃが形成されている。この２つの延出部２４ｂ、２４ｃには、それぞれ係合孔４１ａ、４１ｂが形成されている。係合孔４１ａ、４１ｂは貫通孔となっており、この係合孔４１ａ、４１ｂに棒状の治具（チャックピン）を嵌め込むことによって第２のホルダ２４をチャッキングし、第２のホルダ２４の傾き調整が行われる。この傾き調整の詳細については後述する。
【００５９】
なお、本実施形態においては、係合孔４１ａ、４１ｂを貫通孔としているが、これに限定される趣旨ではなく、係合孔は貫通孔でなくてもよい。
【００６０】
また、図５（ａ）に示すように、第１のホルダ２３においては、第２のホルダ２４を第１のホルダ２３に搭載した際に、少なくとも、第２のホルダ２４の係合孔４１ａ、４１ｂの下側に該当する位置に、レンズホルダ２２に搭載される対物レンズ８、１５の光軸方向と略平行な方向に延びる貫通孔４２ａ、４２ｂが形成されている。この貫通孔４２ａ、４２ｂは、第２のホルダ２４の係合孔４１ａ、４１ｂと係合するチャックピンを、第２のホルダ２４の下部側から嵌め込むことが可能となるように形成されている。
【００６１】
次に、このように構成されるレンズホルダ２２に、第１対物レンズ８と第２対物レンズ１５を搭載する工程について説明する。
【００６２】
まず、第１対物レンズ８が、第１のホルダ２３の保持部２３ａに接着固定される。この際、第１対物レンズ８の光軸が、上部に配置される光ディスク５０の記録面５０ａと垂直となるように配置する。なお、この段階においては、垂直から多少ずれていても構わない。次に、第２対物レンズ１５が、第２のホルダ２４に接着固定される。
【００６３】
第２対物レンズ１５が接着固定された第２のホルダ２４が、第１のホルダ２３の所定の位置に搭載される。この段階では、第２のホルダ２４は第１のホルダ２３に対して接着固定されておらず、第２のホルダ２４の傾きを調整することにより、第２対物レンズ１５の傾き調整を行うことができる状態となっている。
【００６４】
第１のホルダ２３に接着固定された第１対物レンズ８の上部側に調整機４５（後述の図６に調整機４５が示されている）を配置する。この調整機４５は、第１対物レンズ８の光軸と第２対物レンズ１５の光軸とを平行とするために用いるもので、本実施形態の調整機４５は収差の測定を行えるようになっている。第１対物レンズ８の上部側に調整機４５を配置すると、第１対物レンズ８の下部側からレーザ光を入射し、第１対物レンズ８から出射されたレーザ光を調整機４５で取り込んで収差の測定を行う。そして、収差が最適となるように、第１のホルダ２３の傾きを調整する。この際、第１のホルダ２３は治具（図示せず）によってチャッキングされており、治具を動かすことによって第１のホルダ２３の傾きが調整される。
【００６５】
次に、第１のホルダ２３の傾きを上述の調整によって決定された傾きに保った状態で、第２のホルダ２４に搭載された第２対物レンズ１５の上部側に調整機４５を移動する。そして、図６に示すように、チャックピン４３ａ、４３ｂを有する調整治具４３を用いて、第２のホルダ２４をチャッキングする。具体的には、調整治具４３を、チャックピン４３ａ、４３ｂが第１のホルダ２３の貫通孔４２ａ、４２ｂを貫通するように配置し、更に貫通孔４２ａ、４２ｂを貫通したチャックピン４３ａ、４３ｂを、第２のホルダ２４の係合孔４１ａ、４１ｂに挿入してチャッキングする。なお、図６は、本実施形態のレンズホルダ２２を図５（ａ）のVI−VI位置で切断した断面図である。ただし、図６では、調整機４
５及び調整治具４３も合わせて示している。
【００６６】
第２のホルダ２４を調整治具４３でチャッキングすると、レーザ光を第２対物レンズ１５の下部側から入射し、第２対物レンズ１５から出射されたレーザ光を調整機４５で取り込んで収差の測定を行う。そして、チャックピン４３ａ、４３ｂを有する調整治具４３を動かすことにより、第２のホルダ２４を動かし、収差が最適となるように第２対物レンズ１５の傾きを調整する。これにより、第１対物レンズ８の光軸と第２対物レンズ１５の光軸とを平行とする調整が行える。
【００６７】
第２対物レンズ１５の調整位置が決定したら、第２のホルダ２４は第１のホルダ２３に接着固定される。本実施形態においては、図７に示すように、第２のホルダ２４は、第２対物レンズ１５を保持する保持部２４ａ（第２対物レンズ１５を保持する保持部２４ａの中心位置）に対して略対称位置に配置される固定部（固定部４４ａと固定部４４ｄ、及び固定部４４ｂと固定部４４ｃの２組が該当）によって挟むように固定（ブリッジ固定）される。第２のホルダ２４の固定は接着剤４６を用いて行われる。
【００６８】
なお、固定部４４ａ〜４４ｄは、第１のホルダ２３に形成されている。また、本実施形態においては、固定部４４ａと固定部４４ｂは、一体的に形成されている。また、図７は、第２のホルダ２４が第１のホルダ２１に接着固定される構成を説明するための図で、第２のホルダ２４周辺を拡大して示した図である。
【００６９】
本実施形態のように、第２のホルダ２４を、第２対物レンズ１５を保持する保持部２４ａに対して略対称位置に配置される固定部によって挟むように固定した場合、第２のホルダ２４をバランス良く固定できる。このために、接着剤硬化時の収縮や、異常環境化における膨張或いは収縮などが発生した場合であっても、第２のホルダ２４の位置は変動し難い。
【００７０】
なお、本実施形態においては、第２のホルダ２４を４箇所でブリッジ固定する構成としているが、これに限定される趣旨ではない。ただし、第２のホルダ２４を、第２対物レンズ１５を保持する保持部２４ａに対して略対称位置に配置される固定部によって挟むように固定（ブリッジ固定）するのが好ましい。ここで、本実施形態では４箇所でブリッジ固定（接着）しているが、２箇所或いは６箇所以上の偶数箇所でブリッジ固定する構成としても勿論構わない。
【００７１】
対物レンズ８、１５のレンズホルダ２２への搭載工程は以上のようであるが、この後の組み立て作業において、レンズホルダ２２を備える対物レンズアクチュエータ２０の傾きが、例えば、第１対物レンズ８を基準に収差が最適となるように調整される。上述のように、第１対物レン８の光軸と第２対物レンズ１５の光軸とが平行となるように調整されているので、上記の調整で第２対物レンズ１５についても最適な収差となる。すなわち、光ピックアップ１が備える２つの対物レンズ８、１５について、いずれも、その光軸が光ディスク５０の記録面と直交するように構成できる。
【００７２】
以上に示したように、本実施形態のレンズホルダ２２（光ピックアップ用レンズホルダ）を用いれば、第２のホルダ２４に搭載される第２対物レンズ１５の傾きを調整する際に、レンズホルダ２２を基準として調整機４５の反対側に調整治具４３を配置できるために調整治具４３を大きなものとできる。このために、第２のホルダ２４の調整作業（第２対物レンズ１５の傾き調整作業）が行い易くなる。
【００７３】
以上に示した実施形態は一例であり、本発明の光ピックアップ用レンズホルダ及び光ピックアップは、上述の実施形態に限定されるものではなく、本発明の目的を逸脱しない範囲で種々の変更が可能である。
【００７４】
本実施形態においては、係合孔４１ａ、４１ｂの数を２つとしたが、この数は本実施形態の構成に限定される趣旨ではなく、その設計等に応じて適宜変更可能である。
【００７５】
また、本実施形態においては、第２のホルダ２４に係合孔４１ａ、４１ｂを設けて、第２のホルダ２４を治具でチャッキングできるように構成した。しかし、この構成に限定される趣旨ではない。すなわち、例えば、第２のホルダ２４に治具によって挟持可能となるような係合部を設ける構成等としても構わない。
【００７６】
また、本実施形態においては、レンズホルダ２２に２つの対物レンズ８、１５を、タンジェンシャル方向に並べて搭載する構成とした。しかし、この構成に限定される趣旨ではなく、例えば、２つの対物レンズ８、１５をラジアル方向に並べる構成等としても構わない。また、対物レンズの数について３つ以上としても構わない。この場合には、１つの対物レンズを第１のホルダ２３に搭載し、他の２つ以上を第２のホルダ２４に搭載する構成とすれば、それぞれの対物レンズの光軸を互いに平行とできる。また、本発明は、レンズホルダ２２に１つの対物レンズのみを搭載する構成にも適用できる。この場合でも、対物レンズの傾き調整を行い易いというメリットを有する。
【００７７】
なお、本実施形態のようにタンジェンシャル方向に２つの対物レンズを並べる場合に、第１対物レンズ８と第２対物レンズ１５との位置関係は本実施形態の構成に限定されず、本実施形態の場合と比べて、逆の位置関係（図３において、対物レンズの上下を入れ替える）としても勿論構わない。
【００７８】
更に、本実施形態の光ピックアップ１においては、レンズホルダ（光ピックアップ用レンズホルダ）２２を搭載する対物レンズアクチュエータ２０について、レンズホルダ２２をワイヤで支持し、レンズホルダ２２を揺動させて対物レンズを駆動する構成（ワイヤ支持方式の対物レンズアクチュエータ）とした。しかし、本発明の光ピックアップ用レンズホルダは、これと異なる対物レンズアクチュエータに搭載される場合にも適用可能である。すなわち、例えば、レンズホルダを支軸に対して摺動可能に保持し、レンズホルダを上下方向及び回転方向に摺動させて対物レンズを駆動する構成の対物レンズアクチュエータ（いわゆる軸摺動方式の対物レンズアクチュエータ）等にも適用可能である。
【産業上の利用可能性】
【００７９】
本発明の光ピックアップ用対物レンズによれば、対物レンズの傾き調整が行い易い。このために、光ピックアップの組み立て時の作業負担を少なくできる。従って、本発明は光ピックアップの分野において有用である。
【図面の簡単な説明】
【００８０】
【図１】は、本実施形態の光ピックアップの構成を示す概略平面図である。
【図２】は、本実施形態の光ピックアップの光学系の構成を示す概略図である。
【図３】は、本実施形態の対物レンズアクチュエータの構成を示す概略平面図である。
【図４】は、本実施形態の対物レンズアクチュエータの構成を示す概略側面図である。
【図５】は、本実施形態の対物レンズアクチュエータに備えられる光ピックアップ用レンズホルダの構成を更に詳細に説明するための図である。
【図６】は、本実施形態の光ピックアップ用レンズホルダを、図５（ｂ）におけるVI−VI位置で切断した断面図である。
【図７】は、第２のホルダが第１のホルダに接着固定される構成を説明するための図で、第２のホルダ周辺を拡大して示した図である。
【図８】は、２つの対物レンズが搭載された従来の光ピックアップ用レンズホルダの構成例を示す断面図である。
【符号の説明】
【００８１】
１              光ピックアップ
８              第１対物レンズ
１５            第２対物レンズ
２２            レンズホルダ（光ピックアップ用レンズホルダ）
２３            第１のホルダ
２４            第２のホルダ
２３ａ、２４ａ  保持部
４１ａ、４１ｂ  係合孔（係合部）
４２ａ、４２ｂ  貫通孔
４４ａ〜４４ｄ  固定部
５０            光ディスク（光記録媒体）
５０ａ          記録面
【図１】
2009076179.tif 000003
【図２】
2009076179.tif 000004
【図５】
2009076179.tif 000005
【図８】
2009076179.tif 000006
【図３】
2009076179.tif 000007
【図４】
2009076179.tif 000008
【図６】
2009076179.tif 000009
【図７】
2009076179.tif 000010